(57)【要約】【課題】カバーの下側の面に付着した異物での反射光に起因する局所的な輝度の上昇を防止または抑制する。【解決手段】イメージセンサユニット１ａは、読取対象物Ｐに向けて光を出射する光源基板１１と、読取対象物Ｐからの光を受光して画像を生成するイメージセンサ１５２と、読取対象物Ｐからの光をイメージセンサ１５２に結像させる集光体１４と、光源基板１１と集光体１４とが収容される筐体と、筐体の読取対象物に向ける側に取付けられて光源基板１１と集光体１４とを覆う本体カバー２ａと、を有し、本体カバー２ａは、集光体１４の光軸方向に所定の距離をおいて重ねて配置される第１の透明板部材２１ａおよび第２の透明板部材２２を有し、第２の透明板部材２２は、第１の透明板部材２１ａよりも集光体１４に近い側であって、かつ、集光体１４の焦点Ｆよりも集光体１４に近い側に配置されている。【選択図】図３
2018026622.tif 000002
【特許請求の範囲】
【請求項１】
一側を読取対象物に向けて前記読取対象物を読取るイメージセンサユニットであって、
前記一側から外部に向けて光を出射する光源と、
前記一側から入射した光を光電変換するイメージセンサと、
前記一側から入射した光を前記イメージセンサに結像させる集光体と、
前記光源と前記イメージセンサとが収容される筐体と、
前記筐体の前記一側に配置され、前記集光体の光軸方向に所定の距離をおいて重ねて配置される第１の透明板部材および第２の透明板部材と、
を有し、
前記第２の透明板部材は、前記第１の透明板部材よりも前記集光体に近い側であって、かつ、前記集光体の焦点よりも前記集光体に近い側に配置されていることを特徴とするイメージセンサユニット。
【請求項２】
前記第２の透明板部材と前記集光体との距離は、０．３ｍｍ以下であることを特徴とする請求項１に記載のイメージセンサユニット。
【請求項３】
前記第１の透明板部材は、透明なガラス板であり、
前記第２の透明板部材は、透明なガラス板または透明な樹脂の板であることを特徴とする請求項１または２に記載のイメージセンサユニット。
【請求項４】
前記第１の透明板部材および前記第２の透明板部材とは別体であり前記筐体の前記一側に配置されるカバーフレームをさらに有し、
前記第１の透明板部材は、前記カバーフレームの前記一側に取付けられ、
前記第２の透明板部材は、前記カバーフレームの前記一側とは反対側に取付けられていることを特徴とする請求項１から３のいずれか１項に記載のイメージセンサユニット。
【請求項５】
一側を読取対象物に向けて前記読取対象物を読取るイメージセンサユニットであって、
前記一側から外部に向けて光を出射する光源と、
前記一側から入射した光を受光して画像を生成するイメージセンサと、
前記一側から入射した光を前記イメージセンサに結像させる集光体と、
前記光源と前記イメージセンサとが収容される筐体と、
前記筐体の前記一側に配置されて前記光源と前記集光体とを覆うカバーと、
を有し、
前記カバーは、カバーフレームと、前記カバーフレームとは別体で前記カバーフレームの前記一側に配置される第３の透明板部材と、を有し、
前記カバーフレームの前記一側とは反対側の面は、前記第３の透明板部材よりも前記集光体に近い側であって、かつ、前記集光体の焦点よりも前記集光体に近い側に位置していることを特徴とするイメージセンサユニット。
【請求項６】
前記カバーフレームの前記一側とは反対側の面と前記集光体との距離は、０．３ｍｍ以下であることを特徴とする請求項５に記載のイメージセンサユニット。
【請求項７】
前記第３の透明板部材は、透明なガラス板であり、
前記カバーフレームは樹脂からなり、前記集光体の光軸方向視において少なくとも前記集光体と重畳する部分は透明であることを特徴とする請求項５または６に記載のイメージセンサユニット。
【請求項８】
イメージセンサユニットと、
前記イメージセンサユニットと紙葉類である読取対象物とを相対的に移動させながら、前記読取対象物からの光を受光する画像読取手段と、
前記読取対象物の真贋を識別する識別手段と、
を備える紙葉類識別装置であって、
前記イメージセンサユニットは、請求項１から７のいずれか１項に記載のイメージセンサユニットであることを特徴とする紙葉類識別装置。
【請求項９】
イメージセンサユニットと、
前記イメージセンサユニットと読取対象物とを相対的に移動させながら、前記読取対象物からの光を受光する画像読取手段と、
を備える画像読取装置であって、
前記イメージセンサユニットは、請求項１から７のいずれか１項に記載のイメージセンサユニットであることを特徴とする画像読取装置。
【発明の詳細な説明】
【技術分野】
【０００１】
本発明は、イメージセンサユニット、紙葉類識別装置、画像読取装置に関する。
【背景技術】
【０００２】
画像読取装置などに適用されるイメージセンサユニットには、読取対象物に向けて光を出射する光源と、読取対象物からの光をイメージセンサに結像させる集光体と、光源や集光体を覆う透明なガラス板などのカバーとを有するものがある。特許文献１には、導光体と集光体とが並べて配置され、その上側（読取対象物に向ける側）にガラスからなるカバーが配置される構成が開示されている。このようなイメージセンサユニットにおいては、光源が発する光は、カバーを透過して読取対象物に達し、読取対象物で反射して再びカバーを透過して集光体に入射する。
【０００３】
このような構成において、カバーの下側の面（導光体と集光体の側を向く面）の集光体に対向する位置に埃などの異物が付着すると、光源が発する光の一部がこの埃で反射し、その反射光が集光体に入射する。そうすると、イメージセンサユニットが出力する画像は、付着した異物に対応する位置の輝度が局所的に高くなる。例えば、ラインセンサを有するイメージセンサユニットであれば、異物に対応する位置にいわゆる「白スジ」が現れる。
【０００４】
このような現象を抑制するためには、集光体とカバーの下側の面との隙間を小さくして、光源から直接に集光体とカバーとの間に入射する光量を少なくする構成が考えられる。しかしながら、次のような理由により、集光体とカバーの下側の面との隙間を所望の寸法に小さくできないことがある。カバーの上側に存在する読取対象物を読取るためには、集光体の上側の焦点をカバーの上面から所定の距離をおいて上側に位置させなければならない。このため、集光体とカバーの上面との位置関係は、集光体の上側の焦点の位置によって制限される。このため、集光体の上面とカバーの下面との距離は、集光体の上側の焦点の位置と、カバーの厚さとによって規定される。ガラス板の厚さは規格化されているため、規格化されたガラス板をカバーに用いると、集光体の上面とカバーの下面との距離は、集光体の上側の焦点の位置と、ガラス板の厚さの規格によって決まることになり、所望の距離に任意に設定できない。したがって、集光体とカバーの下側の面との隙間を小さくすることができないことがある。
【０００５】
このように、カバーの下側の面に付着した異物での反射光に起因する局所的な輝度の上昇を防止または抑制することは困難であった。
【先行技術文献】
【特許文献】
【０００６】
【特許文献１】特開２００５−１９１７９５号公報
【発明の概要】
【発明が解決しようとする課題】
【０００７】
上述した実情に鑑み、本発明が解決しようとする課題は、光源と集光体とこれらを覆うカバーとを有するイメージセンサユニットにおいて、カバーの下側の面に付着した異物での反射光に起因する局所的な輝度の上昇を防止または抑制することである。
【課題を解決するための手段】
【０００８】
前記課題を解決するため、本発明は、一側を読取対象物に向けて前記読取対象物を読取るイメージセンサユニットであって、前記一側から外部に向けて光を出射する光源と、前記一側から入射した光を光電変換するイメージセンサと、前記一側から入射した光を前記イメージセンサに結像させる集光体と、前記光源と前記イメージセンサとが収容される筐体と、前記集光体の光軸方向に所定の距離をおいて重ねて配置される第１の透明板部材および第２の透明板部材と、を有し、前記第２の透明板部材は、前記第１の透明板部材よりも前記集光体に近い側であって、かつ、前記集光体の焦点よりも前記集光体に近い側に配置されていることを特徴とする。
【発明の効果】
【０００９】
本発明によれば、カバーガラスの下側の面に付着した異物に起因する局所的な輝度の上昇を防止や抑制することができる。
【図面の簡単な説明】
【００１０】
【図１】図１は、イメージセンサユニットの構成例を模式的に示す分解斜視図である。
【図２】図２は、イメージセンサユニットの構成例を模式的に示す外観斜視図である。
【図３】図３は、図２のＩＩＩ−ＩＩＩ線断面図である。
【図４】図４は、イメージセンサユニットの構成例を模式的に示す分解斜視図である。
【図５】図５は、本体カバーの構成例を模式的に示す分解斜視図である。
【図６】図６は、イメージセンサユニットの断面図である。
【図７】図７は、紙葉類識別装置の要部の構成例を模式的に示す図である。
【図８】図８は、画像読取装置の外観斜視図である。
【図９】図９は、画像読取装置の画像形成部の斜視図である。
【発明を実施するための形態】
【００１１】
以下、本発明を適用できる各実施形態について、図面を参照して詳細に説明する。本発明の各実施形態では、イメージセンサユニットと、このイメージセンサユニットが適用された紙葉類識別装置および画像読取装置を示す。各図においては、イメージセンサユニットの三次元の各方向を、Ｘ，Ｙ，Ｚの各矢印で示す。Ｘ軸方向は主走査方向であり、Ｙ軸方向は副走査方向であり、Ｚ軸方向は上下方向である。なお、上下方向については、使用の際に読取対象物に向ける一側を上側とし、その反対側を下側とする。また、本発明において、「光」とは、可視光のみならず、赤外線や紫外線など、可視光以外の波長域の電磁波も含むものとする。
【００１２】
本発明の各実施形態に係るイメージセンサユニットは、一側（上側）を副走査方向に相対的に移動する読取対象物の側に向けて使用する。そして、イメージセンサユニットは、読取対象物に光を照射し、読取対象物からの光（反射光や透過光）によって、読取対象物に設けられているパターンを読取る。なお、本発明の各実施形態に係るイメージセンサユニットは、読取対象物の反射読取りと透過読取りの両方式に対応している。そして、イメージセンサユニットの上側に透過光源装置を配置する構成や、２基のイメージセンサユニットを対向して配置する構成によって、読取対象物の透過読取りと反射読取りが可能である。
【００１３】
＜イメージセンサユニット（第１の実施形態）＞
（全体構成）
第１の実施形態に係るイメージセンサユニット１ａの全体構成の例について、図１〜図３を参照して説明する。図１は、イメージセンサユニット１ａの構成例を模式的に示す分解斜視図である。図２は、イメージセンサユニット１ａの構成例を模式的に示す外観斜視図である。図３は、図２のＩＩＩ−ＩＩＩ線断面図であり、イメージセンサユニット１ａを主走査方向に直角な平面で切断した断面構造を示す図である。図１〜図３に示すように、イメージセンサユニット１ａは、光源基板１１と、導光体１２と、導光体カバー１３と、集光体１４と、第１の回路基板１５と、第２の回路基板１６と、イメージセンサユニット１ａの筐体の例である本体フレーム１７と、本体カバー２ａとを有する。本実施形態では、光源基板１１と導光体１２と導光体カバー１３とが、一側から外部（集光体１４の上側の焦点Ｆおよびその近傍）に向けて線状光を出射する光源を構成する。本実施形態では、イメージセンサユニット１ａが２組の光源を有する構成を例に示す。本体カバー２ａは、イメージセンサユニット１ａの筐体の例である本体フレーム１７の一側に配置されるカバーの例であり、カバーフレーム２４ａと、第１の透明板部材２１ａと、第２の透明板部材２２とを含んで構成される。
【００１４】
光源基板１１は、発光素子１１１と、この発光素子１１１が実装された配線板１１２とを有する。発光素子１１１には、例えば、赤（Ｒ）と緑（Ｇ）と青（Ｂ）と赤外線（Ｉｒ）と紫外線（ＵＶ）の各波長域の光を発する表面実装型のＬＥＤが適用できる。なお、発光素子１１１が発する光の波長域は、読取対象物Ｐの画像の種類などに応じて適宜設定されるものであり、特に限定されない。発光素子１１１は、前記波長域のいずれか１つまたは複数の波長域の光を発する構成であってもよい。配線板１１２の構成も特に限定されるものではなく、発光素子１１１を実装でき、後述する第１の回路基板１５に電気的に接続できる構成であればよい。
【００１５】
導光体１２は、光源基板１１の発光素子１１１が発する光を線状化（線光源化）して外部に出射する光学部材である。導光体１２は、全体として主走査方向に長い棒状の構成を有しており、アクリル系の樹脂材料などといった透明な材料により一体に形成されている。
【００１６】
導光体１２の長手方向（主走査方向）の端面には、光源基板１１の発光素子１１１が発する光を入射させる光入射面１２１が設けられている。なお、導光体１２の長手方向の両端部に光源基板１１が配置される構成であれば、導光体１２の長手方向の両方の端部に光入射面１２１が設けられる。また、長手方向の一方の端部に光源基板１１が配置される構成であれば、光源基板１１が配置される側の一端に光入射面１２１が設けられる。なお、端面の一部分に光入射面１２１が形成される構成であってもよく、端面の全域が光入射面１２１である構成であってもよい。
【００１７】
導光体１２の側面には、光拡散面１２２と光出射面１２３とが、互いに反対側に位置するように（背中合わせとなるように）設けられている。光拡散面１２２と光出射面１２３とは、いずれも主走査方向に長い帯状の構成を有する。光拡散面１２２は、光源基板１１が出射して光入射面１２１から入射した光を後述する導光体カバー１３の光反射面１３１に向けて出射する面である。光拡散面１２２には、入射した光を導光体カバー１３の光反射面１３１に向けて出射するためのプリズムパターンが設けられている。プリズムパターンは、例えば、断面が略三角形で、主走査方向に直角な方向に延伸するリブ状の構成を有する。
【００１８】
光出射面１２３は、外部（集光体１４の上側の焦点Ｆおよびその近傍）に向けて光を出射するための面である。光出射面１２３は、集光体１４の上側の焦点Ｆを含む範囲に光を出射できるように、主走査方向視において斜め上側（集光体１４の上側の焦点およびその近傍の側）に向かって膨出するような曲面に形成されている。なお、光出射面１２３の長さ（主走査方向寸法）は、イメージセンサユニット１ａが対応する読取対象物Ｐの幅（主走査方向寸法）に応じて設定される。例えば、Ａ３サイズの読取対象物Ｐに対応する構成であれば、光出射面１２３の長さは、Ａ３サイズの読取対象物Ｐの幅に応じた寸法に設定される。
【００１９】
導光体カバー１３は、光を拡散させる機能と、光の利用効率の向上を図る機能とを有する。導光体カバー１３は、主走査方向に細長い棒状の構成を有する。導光体カバー１３を長手方向（主走査方向）に直角な面で切断した断面形状は略「Ｕ」字形状であり、その内側に導光体１２を収容できる。導光体カバー１３の内側には、光反射面１３１が設けられている。光反射面１３１は、導光体１２の光拡散面１２２から出射した光を乱反射させて、再び導光体１２の内部に入射させる面である。このような機能を実現するため、導光体カバー１３は、たとえば酸化チタンの粉末が混合されたポリカーボネートなどといった、光の反射率が高い材料によって形成される。そして、光反射面１３１は、導光体１２の光拡散面１２２と同様に、主走査方向に延伸する細長い帯状に形成されている。なお、導光体カバー１３の「Ｕ」字の内側の面の一部が光反射面１３１であってもよく、全部が光反射面１３１であってもよい。そして、光反射面１３１は、導光体カバー１３が導光体１２に取付けられた状態で、導光体１２の光拡散面１２２を覆う（導光体１２の光拡散面１２２に対向する）。
【００２０】
集光体１４は、読取対象物Ｐからの光（反射光や透過光）をイメージセンサ１５２（後述）の受光面に結像させる（集光する）光学部材である。集光体１４には、例えば、ロッドレンズアレイが適用される。ロッドレンズアレイは、主走査方向に直線状に並べて配置された複数の正立等倍結像型の結像素子（ロッドレンズ）を有している。なお、集光体１４は、主走査方向に直線状に配列される複数の結像素子を有する構成であればよい。例えば、結像素子の列の数は限定されず、結像素子が複数列配列されていてもよい。集光体１４には、各種マイクロレンズアレイなど、公知の各種の結像機能（集光機能）を有する光学部材が適用できる。
【００２１】
第１の回路基板１５は、主走査方向に長い配線板１５１と、この配線板１５１の上面に設けられているイメージセンサ１５２とを有する。また、第１の回路基板１５の長手方向（主走査方向）の端部には、光源基板１１の配線板１１２が電気的に接続されるとともに機械的（物理的）に接合されている。さらに、第１の回路基板１５の下面には、外部（本実施形態では第２の回路基板１６）と接続するためのコネクタ１５３が実装されている。
【００２２】
第１の回路基板１５のイメージセンサ１５２は、集光体１４を透過して結像した光から画像信号を生成して出力する。イメージセンサ１５２は、集光体１４を透過して結像した受光できるように、受光面を上側に向けて設けられている。イメージセンサ１５２には、例えば、イメージセンサＩＣアレイが適用される。イメージセンサＩＣアレイは、複数のイメージセンサＩＣが第１の回路基板１５の配線板１５１の上面に主走査方向に直線状に並べて実装されることによって形成される。それぞれのイメージセンサＩＣは、イメージセンサユニット１ａの読取りの解像度（主走査方向の画素ピッチ）に応じた複数の受光素子（光電変換素子と称することもある）を有する。このように、イメージセンサ１５２は、主走査方向に直線状に配列される複数の受光素子を有する。なお、イメージセンサ１５２は、複数の受光素子が主走査方向に直線状に配列される構成であればよく、それ以外の構成は特に限定されない。例えば、受光素子を有する複数のイメージセンサＩＣが千鳥状に配列される構成であってもよく、複数列配列される構成であってもよい。また、イメージセンサ１５２を形成するイメージセンサＩＣには、公知の各種イメージセンサＩＣが適用できる。
【００２３】
第２の回路基板１６は、イメージセンサ１５２と光源基板１１以外の所定の電子部品等が実装される回路基板である。第２の回路基板１６には、例えば、光源基板１１やイメージセンサ１５２を駆動する電子部品等が実装されている。さらに、第２の回路基板１６には、第１の回路基板１５のコネクタ１５３と接続するためのコネクタ１６２と、外部の機器（例えば、後述する紙葉類識別装置５や画像読取装置９に含まれる機器）と接続するためのコネクタ１６１が実装されている。なお、イメージセンサユニット１ａが第２の回路基板１６を有さない構成であってもよい。この場合には、第１の回路基板１５に、イメージセンサ１５２と光源基板１１以外の電子部品等が実装され、第１の回路基板１５に実装されるコネクタを介して外部の機器に接続される。
【００２４】
本体フレーム１７は、イメージセンサユニット１ａの筐体の例である。本体フレーム１７は、例えば、全体として主走査方向に長い直方体状の形状を有しており、遮光性を有する材料により一体に形成されている。このような材料としては、黒色に着色されたポリカーボネートが適用できる。本体フレーム１７には、導光体カバー１３が装着された導光体１２を収容可能な導光体収容室１７１と、光源基板１１を収容可能な光源基板収容室１７２と、集光体１４を収容可能な集光体収容室１７４と、第１の回路基板１５および第２の回路基板１６を収容可能な回路基板収容室１７３とが設けられている。
【００２５】
導光体収容室１７１は、上側が開口し主走査方向に長い溝状の構成を有している。本実施形態では、本体フレーム１７には、２つの導光体収容室１７１が、互いに平行に設けられている。
【００２６】
光源基板収容室１７２は、上下方向に貫通する貫通孔状の構成を有している。光源基板収容室１７２は、導光体収容室１７１の主走査方向の外側に設けられており、導光体収容室１７１と繋がっているとともに、その下側に設けられている回路基板収容室１７３と繋がっている。なお、導光体１２の両端部に光源基板１１が配置される構成であれば、光源基板収容室１７２は導光体収容室１７１の長手方向の両端部のそれぞれに設けられる。また、光源基板１１が導光体１２の長手方向の一方の端部にのみ設けられる構成であれば、光源基板収容室１７２は光源基板１１が配置される側の端部のみに設けられる構成であればよい。
【００２７】
集光体収容室１７４は、上側が開口し主走査方向に長い溝状の構成を有している。集光体収容室１７４の底部には、主走査方向に長く上下方向に貫通するスリット状の貫通孔が設けられており、このスリット状の貫通孔を介してその下側に設けられている回路基板収容室１７３と繋がっている。このスリット状の貫通孔は、集光体１４からイメージセンサ１５２に至る光路となる。
【００２８】
なお、集光体収容室１７４と２つの導光体収容室１７１とは、いずれも長手方向が主走査方向を向いており、互いに平行である。そして、集光体収容室１７４は、２つの導光体収容室１７１どうしの間に設けられている。
【００２９】
回路基板収容室１７３は、主走査方向に長く下側が開口する凹状（溝状）の領域である。回路基板収容室１７３は、集光体収容室１７４と光源基板収容室１７２の下側、換言すると、上下方向視で集光体収容室１７４と光源基板収容室１７２に重畳する位置に設けられている。前述のとおり、回路基板収容室１７３と集光体収容室１７４とは、スリット状の貫通孔によって繋がっている。また、回路基板収容室１７３と光源基板収容室１７２とも繋がっている。
【００３０】
本体カバー２ａは、本体フレーム１７の上側に取付けられている。本体カバー２ａは、本体フレーム１７の内部に設けられる部材や機器等を保護する機能や、本体フレーム１７の内部に塵埃などの異物の侵入を防止する機能や、読取対象物Ｐを平面に保持する機能などを有する。本体カバー２ａは、カバーフレーム２４ａと、第１の透明板部材２１ａと、第２の透明板部材２２とを有する。カバーフレーム２４ａと第１の透明板部材２１ａと第２の透明板部材２２とは互いに別体の部材であり、これらの部材が一体に接合されることによって本体カバー２ａが形成される。
【００３１】
カバーフレーム２４ａは、所定の厚さを有する板状の部材であり、上下方向視で本体フレーム１７と略同形である。カバーフレーム２４ａは、例えば樹脂材料からなり、射出成形などによって形成される。なお、本実施形態では、カバーフレーム２４ａは透明、不透明のいずれであってもよい。カバーフレーム２４ａの上面側には、第１の透明板部材２１を取付可能な第１の取付部２４１が設けられており、下面側には、第２の透明板部材２２ａを取付可能な第２の取付部２４２が設けられている。第１の取付部２４１と第２の取付部２４２は、いずれも所定の深さを有する凹状の部分である。第１の取付部２４１の深さは、第１の透明板部材２１ａの厚さ（上下方向寸法）と略同じに設定される。第２の取付部２４２の深さは特に限定されないが、例えば、第２の透明板部材２２の厚さ（上下方向寸法）と略同じに設定される。さらに、カバーフレーム２４ａには、第１の取付部２４１の底部（上側を向く面）と第２の取付部２４２の底部（下側を向く面）とを上下方向に貫通する貫通孔２４４が設けられている。この貫通孔２４４は、導光体１２からイメージセンサユニット１ａの外部（集光体１４の上側の焦点Ｆを含む範囲）に至る光路、および、外部から集光体１４に至る光路として機能する。
【００３２】
第１の透明板部材２１ａおよび第２の透明板部材２２は、いずれも透明な平板状の部材である。なお、第１の透明板部材２１ａは、その上側の面がイメージセンサユニット１ａの外部の一側（上側）に露出し、イメージセンサユニット１ａの動作時においては読取対象物Ｐに接触する。このため、第１の透明板部材２１ａは、耐摩耗性の高い材料からなることが好ましい。第２の透明部材は、イメージセンサユニット１ａの外部に露出せず、動作時において読取対象物Ｐに接触しない。このため、第２の透明板部材２２は、第１の透明板部材２１ａに比較して、耐摩耗性の低い材料からなる構成であってもよい。例えば、第１の透明板部材２１ａおよび第２の透明板部材２２には透明なガラス板が適用できる。また、第１の透明板部材２１ａにガラス板が適用され、第２の透明板部材２２にガラス板よりも耐摩耗性の低い透明な樹脂材料の板が適用される構成であってもよい。
【００３３】
また、第１の透明板部材２１ａと第２の透明板部材２２の厚さは特に限定されるものではない。ただし、第１の透明板部材２１ａと第２の透明板部材２２の厚さは、それらの合算値が集光体１４の上面１４１と上側の焦点Ｆとの距離よりも小さい値となるように設定される。
【００３４】
（イメージセンサユニットの組み付け）
次に、イメージセンサユニット１ａの組み付け構成について説明する。
【００３５】
２つの導光体１２のそれぞれに導光体カバー１３が装着され、本体フレーム１７の上側から２つの導光体収容室１７１のそれぞれに収容される。本体フレーム１７には、導光体カバー１３を保持する所定の数の導光体保持部が一体に設けられている。それぞれの導光体保持部は弾性変形可能な舌片状の構成を有している。そして、導光体カバー１３が装着された導光体１２が導光体収容室１７１に収容されると、導光体保持部はある程度弾性変形した状態で、導光体カバー１３の側面と上面の一部に接触する。このため、導光体カバー１３が装着された導光体１２は、弾性変形した導光体保持部の弾性力（復元力）によって、導光体収容室１７１に位置決めされた状態に保持される。なお、導光体保持部は、導光体１２に装着された導光体カバー１３を保持可能な構成であればよく、具体的な構成は限定されない。
【００３６】
光源基板１１は、光源基板収容室１７２に、導光体収容室１７１に収容された導光体１２の光入射面１２１（導光体１２の長手方向の端面）に光を照射できる位置および向きで収容される。なお、光源基板収容室１７２に収容された光源基板１１の配線板１１２の下部は、回路基板収容室１７３に入り込んでいる。
【００３７】
集光体１４は、本体フレーム１７の上側から集光体収容室１７４に収容される。そして、集光体収容室１７４に収容された集光体１４は、接着剤などによって本体フレーム１７に固定される。集光体１４の光軸Ｌは、集光体収容室１７４に収容された状態で、主走査方向視において上下方向に平行である。
【００３８】
第１の回路基板１５の上面には複数のイメージセンサＩＣが実装され、実装された複数のイメージセンサＩＣによりイメージセンサ１５２が形成される。そして、第１の回路基板１５は、本体フレーム１７の下側から回路基板収容室１７３に収容される。集光体１４が集光体収容室１７４に収容されて固定され、第１の回路基板１５が回路基板収容室１７３に収容されて固定された状態では、イメージセンサ１５２の受光面は、主走査方向視において集光体１４の光軸Ｌ上で、かつ、下側の焦点に位置する。また、回路基板収容室１７３に入り込んでいる光源基板１１の配線板１１２の下部は、第１の回路基板１５の長手方向の端部に、ハンダ付けなどによって電気的に接続されるとともに機械的に接合される。
【００３９】
第２の回路基板１６は、回路基板収容室１７３の内部に、第１の回路基板１５の下側に位置するように収容される。回路基板収容室１７３に収容された第１の回路基板１５と第２の回路基板１６とは、コネクタ１５３．１６２によって互いに電気的に接続される。回路基板収容室１７３に収容された第１の回路基板１５と第２の回路基板１６とは、本体フレーム１７に設けられたボスの熱カシメや、接着剤などによって、本体フレーム１７に固定される。
【００４０】
第１の透明板部材２１ａはカバーフレーム２４ａの第１の取付部２４１に上側から嵌め込まれるようにして取付けられて固定され、第２の透明板部材２２は、第２の取付部２４２に下側から嵌め込まれるようにして取付けられて固定される。このように、本体カバー２ａは、カバーフレーム２４ａと第１の透明板部材２１ａと第２の透明板部材２２とを含んで構成される。そして、第１の透明板部材２１ａの上面が本体カバー２ａの上面の少なくとも一部となり、第２の透明板部材２２の下面２２１が本体カバー２ａの下面の少なくとも一部となる。また、第１の透明板部材２１ａと第２の透明板部材２２との間には、貫通孔２４４に対応する空間が存在する。このため、第１の透明板部材２１ａと第２の透明板部材２２とは所定の距離をおいて上下方向に離れている。ただし、第１の透明板部材２１ａの下面と第２の透明板部材２２の上面とは接触していてもよい。
【００４１】
なお、第１の透明板部材２１ａと第２の透明板部材２２の固定構造は特に限定されるものではなく、例えば、両面粘着テープを用いる構成や、接着剤を用いる構成が適用できる。ただし、第１の透明板部材２１ａと第２の透明板部材２２との間（貫通孔２４４）に塵埃などの異物が侵入しないように、第１の透明板部材２１ａおよび第２の透明板部材２２のそれぞれと本体フレーム１７とが隙間なく密着するような固定構造であることが好ましい。例えば、両面粘着テープを用いる構成であれば、第１の透明板部材２１ａと第２の透明板部材２２のそれぞれの全周に隙間なく両面粘着テープが貼付される構成であることが好ましい。
【００４２】
そして本体カバー２ａは、本体フレーム１７の上側に取付けられる。本体カバー２ａが本体フレーム１７に取付けられると、本体フレーム１７に収容された光源基板１１と導光体１２と集光体１４とは、本体カバー２ａによって覆われる。また、本体フレーム１７の光源基板収容室１７２と導光体収容室１７１とは、本体カバー２ａによって上側が塞がれる。このように、本体カバー２ａの第１の透明板部材２１ａと第２の透明板部材２２とは、集光体１４の上側において集光体１４の光軸Ｌ方向に重ねて配置される。この状態で、本体カバー２ａの第１の透明板部材２１ａの上面は、イメージセンサユニット１ａの上側において外部に露出する。本体カバー２ａの第２の透明板部材２２の下面２２１は、集光体１４の上側に所定の隙間をおいて位置しており、集光体１４の上面に対向する。
【００４３】
このように、本実施形態のイメージセンサユニット１ａは、導光体１２と集光体１４とが平行に配置され、導光体１２の光出射面１２３は、主走査方向視において、集光体１４の上面の側方または斜め下側に位置している。そして、導光体１２の光出射面１２３から出射される光（光軸Ｍ）は、集光体１４の光軸Ｌに対して傾斜しており、第２の透明板部材２２と第１の透明板部材２１ａを透過して、集光体１４の上側の焦点Ｆおよびその近傍に至る。換言すると、主走査方向視において、導光体１２は、集光体１４の上面の側方または斜め下側から集光体１４の上側の焦点Ｆおよびその近傍に向けて光を出射する。
【００４４】
（イメージセンサユニットの動作）
次に、イメージセンサユニット１ａの動作について説明する。読取対象物Ｐを読取る際には、光源基板１１の各波長域の発光素子１１１を順次点灯する。発光素子１１１が発する光は、導光体１２の光入射面１２１から内部に入射し、光拡散面１２２と導光体カバー１３の光反射面１３１において拡散するなどしてその内部を進行する。導光体１２の内部を進行した光は、導光体１２の光出射面１２３から外部に出射する。光出射面１２３は主走査方向に長い帯状の面であるため、光出射面１２３から出射される光は、主走査方向に長い線状光となる。そして、本体カバー２ａの第２の透明板部材２２と第１の透明板部材２１ａとを透過して、集光体１４の光軸Ｌ上に位置する読取対象物Ｐの読取ラインＯに到達する。このように、本実施形態では、光源基板１１と導光体１２と導光体カバー１３とが、イメージセンサユニット１ａの筐体である本体フレーム１７の一側（上側）から外部に向かって光を出射する光源として機能する。
【００４５】
読取対象物Ｐの読取ラインＯで反射した光（反射光）は、本体カバー２ａの第１の透明板部材２１ａと第２の透明板部材２２とを透過して集光体１４に入射し、さらに集光体１４を透過してイメージセンサ１５２の受光面に到達する。イメージセンサ１５２の受光面は集光体１４の下側の焦点に位置しているため、集光体１４を透過した光は、イメージセンサ１５２の受光面において結像する。
【００４６】
イメージセンサ１５２は、集光体１４によって結像した光を受光（検出）して電気信号に変換する（画像信号を生成する）。そして、イメージセンサユニット１ａは、読取対象物Ｐに光を照射して反射光を受光（検出）する動作を、読取対象物Ｐと相対的に副走査方向に移動しながら、短時間で周期的に繰り返す。イメージセンサユニット１ａは、このような動作によって、読取対象物Ｐに設けられているパターンを読取り、画像信号を生成して出力する。さらに、読取対象物Ｐの赤外線画像を読取るとともに、読取対象物Ｐに設けられる蛍光物質による蛍光を紫外線画像として読取り、画像信号を生成して出力する。
【００４７】
（本体カバーと集光体との関係）
次に、本体カバー２ａと集光体１４との関係について、図３を参照して説明する。集光体１４の上側の焦点Ｆ（読取対象物Ｐの側の焦点）は、本体カバー２ａの上側に存在する読取対象物Ｐを読取るため、本体カバー２ａの上面（外側の面であって、読取対象物Ｐに向ける側の面）よりも上側（外側）に位置している。なお、本実施形態では、カバーフレーム２４ａの上面側に第１の透明板部材２１ａが設けられる構成であり、第１の透明板部材２１ａの上面が本体カバー２ａの上面の少なくとも一部を形成する。このため、集光体１４の上側の焦点Ｆは、第１の透明板部材２１ａの上面よりも上側に位置している。第１の透明板部材２１ａの上面（本体カバー２ａの上面）と集光体１４の上側の焦点Ｆとの距離は、イメージセンサユニット１ａの適用対象の装置の構成などに応じて設定される。例えば、紙幣などを読取る紙葉類識別装置５に適用されるイメージセンサユニットであれば、この距離は０．１ｍｍ程度に設定される。
【００４８】
本体カバー２ａの下面（内側の面）は、集光体１４の上側に位置しており、集光体１４の上面と上下方向（集光体１４の光軸Ｌの方向）に所定の距離をおいて対向する。本実施形態では、カバーフレーム２４ａの下側に第２の透明板部材２２が設けられる構成であり、第２の透明板部材２２の下面２２１が、本体カバー２ａの下面の一部であって集光体１４の上面に対向する部分となる。
【００４９】
このように、本体カバー２ａの第１の透明板部材２１ａと第２の透明板部材２２とは、いずれも、集光体１４の上面と集光体１４の上側の焦点Ｆとの間に位置している。換言すると、第１の透明板部材２１ａと第２の透明板部材２２とは、いずれも、集光体１４の上側の焦点Ｆよりも集光体１４に近い側（下側）に位置している。そして、第２の透明板部材２２は、第１の透明板部材２１ａよりも、集光体１４に近い側に配置されている。
【００５０】
このような構成であると、本体カバー２ａの下面と集光体１４の上面との距離の設定の自由度が高くなる。具体的には、第１の透明板部材２１ａと第２の透明板部材２２に、厚さが規格化されたガラス板を適用する場合であっても、第１の透明板部材２１ａの上面と第２の透明板部材２２の下面２２１との距離を設定できる。この場合、カバーフレーム２４ａの厚さを変更すればよく、例えば、第１の取付部２４１の底部と第２の取付部２４２の底部との距離を変更すればよい。したがって、本体カバー２ａの上面と集光体１４の上側の焦点Ｆとの距離を読取対象物Ｐの読取りに適した距離に設定しつつ、本体カバー２ａの下面と集光体１４の上面との距離を、ガラス板の厚さの規格に制限されることなく設定できる。
【００５１】
そして、第２の透明板部材２２の下面２２１（本体カバー２ａの下面）と集光体１４の上面との距離を小さくすることにより、第２の透明板部材２２の下面２２１と集光体１４の上面との隙間に入射する光量を減少させることができる。なお、第２の透明板部材２２の下面２２１と集光体１４の上面との距離は、特に限定されるものではないが、例えば０．３ｍｍ以下であることが好ましい。このような構成であると、第２の透明板部材２２の下面２２１（特に、上下方向視において集光体１４の上面に重畳する部分）に塵埃などの異物が付着した場合に、異物で反射して集光体１４を透過してイメージセンサ１５２に入射する光量が減少する。特に、主走査方向視において、集光体１４の光出射面１２３が集光体１４の上面の斜め下側に位置する構成であれば、第２の透明板部材２２の下面２２１と集光体１４の上面との距離を小さくすることにより、導光体１２の光出射面１２３からこの隙間に直接に入射する光を減少させることができる。そして、導光体１２の光出射面１２３からこの異物に直接に照射される光量が減少するため、イメージセンサ１５２が出力する画像において、異物に対応する位置に輝度が局所的に高くなることを防止または抑制できる。例えば、異物に対応する位置に、いわゆる「白スジ」が現れることを防止または抑制できる。
【００５２】
これに対して、従来のような、本体カバーが１枚のガラス板からなる構成や、本体カバーが１枚のガラス板のみを含む構成では、本体カバー（ガラス板）の上面と集光体の上側の焦点との距離を読取対象物の読取りに適した距離に設定すると、本体カバー（ガラス板）の下面と集光体の上面との距離は、ガラス板の厚さの規格の制限を受ける。このため、本体カバーの下面と集光体の上面との距離を任意の小さい距離に設定できず、導光体の光出射面から本体カバーの下面と集光体の上面との隙間に直接に入射する光量を減少させることができない。したがって、本体カバーの下面（特に、上下方向視において集光体の上面に重畳する部分）に異物が付着した場合には、イメージセンサが出力する画像は、異物での反射光により、異物に対応する位置の輝度が局所的に高くなる。例えば、異物に対応する位置に「白スジ」が現れやすくなる。
【００５３】
このように、本実施形態によれば、第１の透明板部材２１ａの上面（本体カバー２ａの上面）と集光体１４の上側の焦点Ｆとの距離を読取対象物Ｐの読取りに適した距離としつつ、第２の透明板部材２２の下面２２１（本体カバー２ａの下面）と集光体１４の上面との距離を小さくできる。特に、規格に従った厚さのガラス板を本体カバー２ａに適用する場合であっても、ガラス板の厚さの規格にかかわらず（規格の制限を受けることなく）、第２の透明板部材２２の下面２２１（本体カバー２ａの下面）と集光体１４の上面との距離を小さくできる。そして、本体カバー２ａの下面と集光体１４の上面との距離を小さくすることにより、本体カバー２ａの下面と集光体１４の上面との隙間を小さくして入射する光量を減少させることができる。したがって、本体カバー２ａの下面に異物が付着した場合であっても、異物による反射光の光量を少なくすることにより、イメージセンサ１５２が出力する画像の異物に対応する位置の輝度が局所的に高くなることを防止または抑制できる。
【００５４】
なお、上記実施形態では、イメージセンサユニット１ａが２組の光源（光源基板１１と導光体１２と導光体カバー１３）を有する構成を示したが、このような構成に限定されない。例えば、イメージセンサユニット１ａが、１組の光源を有する構成であってもよい。この場合には、本体フレーム１７には１つの導光体収容室１７１が設けられる。また、光源が導光体カバーを含む構成でなくてもよい。すなわち、導光体１２が直接に本体フレーム１７の導光体収容室１７１に収容される構成であってもよい。さらに、光源は、光源基板１１と導光体１２とを含む構成に限定されない。例えば、光源が、主走査方向に直線状に並べられた発光素子（ＬＥＤなど）からなる構成であってもよい。要は、光源は、本体フレーム１７の一側から集光体１４の上側の焦点Ｆを含む範囲に向かって光（特に線状光）を出射できる構成であればよい。
【００５５】
さらに、本実施形態では、イメージセンサユニット１ａがカバーフレーム２４ａを有する構成を示したが、このような構成に限定されない。例えば、イメージセンサユニット１ａがカバーフレーム２４ａを有さず、第１の透明板部材２１ａと第２の透明板部材２２とが直接的に本体フレーム１７に取付けられる構成であってもよい。要は、イメージセンサユニット１ａが、別体である第１の透明板部材２１ａと第２の透明板部材２２とを有し、これらが集光体１４の上側に、集光体１４の光軸Ｌ方向に重ねて配置される構成であればよい。
【００５６】
＜イメージセンサユニット（第２の実施形態）＞
次に、第２の実施形態に係るイメージセンサユニット１ｂについて説明する。第２の実施形態は、イメージセンサユニット１ｂが本体カバーを有さない形態である。なお、第１の実施形態と共通の構成には、第１の実施形態と同じ符号を付し、説明を省略する。図４は、第２の実施形態に係るイメージセンサユニット１ｂの構成例を模式的に示す分解斜視図である。
【００５７】
図４に示すように、イメージセンサユニット１ｂは、第１の透明板部材２１ｂと第２の透明板部材２２とを有し、本体カバーを有さない。第２の実施形態における第１の透明板部材２１ｂは、第１の実施形態における第１の透明板部材２１ａと本体カバー２ａの機能を有する。第１の透明板部材２１ｂは、本体フレーム１７の上側を覆うことができる寸法を有する透明な平板状の部材である。第１の透明板部材２１ｂは、本体カバーの機能を包含するため、第１の実施形態と同様に、耐摩耗性の高い材料からなることが好ましい。第２の透明板部材２２には、第１の実施形態と同様の構成が適用できる。
【００５８】
そして、第２の透明板部材２２は、第１の透明板部材２１ｂの下面に接合部材１８によって接合される。接合部材１８は、所定の厚さを有するゴム板や樹脂板やスポンジ板と、その上下の面に設けられる接着剤や両面粘着テープなどからなる構成が適用できる。要は、接合部材１８は、第１の透明板部材２１ｂと第２の透明板部材２２とが所定の位置関係を保持する状態に接合できる構成であればよい。ただし、接合部材１８は、第１の透明板部材２１ｂと第２の透明板部材２２との間に異物の浸入を防止または抑制し、かつ、光（導光体１２の光出射面１２３から集光体１４の上側の焦点Ｆおよびその近傍に向けて出射される光、集光体１４の上側の焦点Ｆから集光体１４に入射する光）を阻害しないように構成される。例えば、接合部材１８は、図４に示すように、上下方向視において略四辺形の額縁状の形状を有し、第２の透明板部材２２の四辺（外周縁部）を第１の透明板部材２１ｂの下面に接合する構成が適用できる。
【００５９】
なお、第１の透明板部材２１ｂの上面の位置と集光体１４の上側の焦点Ｆとの位置関係と、第２の透明板部材２２の下面２２１と集光体１４の上面との位置関係は、第１の実施形態と同様である。例えば、第２の透明板部材２２の下面２２１と集光体１４の上面との距離は、０．３ｍｍ以下であることが好ましい。そして、第２の実施形態によれば、第１の実施形態と同様の効果を奏することができる。
【００６０】
＜イメージセンサユニット（第３の実施形態）＞
（全体構成）
次に、第３の実施形態に係るイメージセンサユニット１ｃについて説明する。第３の実施形態は、本体カバー２ｃが、カバーフレーム２４ｃと、このカバーフレーム２４ｃとは別体の第３の透明板部材２３とを有し、第３の透明板部材２３の上面が本体カバー２ｃの上面の少なくとも一部となり、カバーフレーム２４ｃの下面２４６が本体カバー２ｃの下面となる形態である。なお、本体カバー２ｃ以外については、第１の実施形態と共通の構成が適用できる。このため、第１の実施形態と共通の構成には、第１の実施形態と同じ符号を付し、説明を省略する。
【００６１】
図５は、第３の実施形態に係るイメージセンサユニット１ｃの本体カバー２ｃの構成例を模式的に示す分解斜視図である。図５に示すように、本体カバー２ｃは、第３の透明板部材２３とカバーフレーム２４ｃとを有する。
【００６２】
第３の透明板部材２３は、第１の実施形態における第１の透明板部材２１ａに対応する部材であり、透明な平板状の部材である。第３の透明板部材２３には、例えば透明なガラス板が適用できる。なお、上下方向視において、第３の透明板部材２３の寸法（長手方向寸法および短尺方向寸法）は、集光体１４の寸法よりも大きい。
【００６３】
カバーフレーム２４ｃは、所定の厚さ（上下方向寸法）を有する板状の部材であり、上下方向視で本体フレーム１７と略同形である。カバーフレーム２４ｃは、例えば樹脂材料からなり、射出成形などによって形成される。カバーフレーム２４ｃの上面には、第３の透明板部材２３を取付け可能な第３の取付部２４３が設けられている。第３の取付部２４３は、上側が開口する凹部であり、例えば深さ（上下方向寸法）は第３の透明板部材２３の厚さと略同じで、第３の透明板部材２３を嵌め込むことができる寸法形状を有する。そして、第３の透明板部材２３を、上側から取付部に嵌め込む（落とし込む）ようにして取付可能である。
【００６４】
第３の取付部２４３の底部（上側を向く面）には、さらに下側に窪む凹部２４５が設けられる。上下方向視において、この凹部２４５の寸法（長手方向寸法および短尺方向寸法）は、集光体１４の寸法よりも大きい。また、この凹部２４５は、カバーフレーム２４ｃが本体フレーム１７に取付けられた状態で、上下方向視において、集光体収容室１７４に収容された集光体１４の全体に重畳する位置および範囲（上下方向視において、集光体１４の全体を包含する位置および範囲）に設けられる。なお、この凹部２４５の深さは特に限定されるものではない。カバーフレーム２４ｃの下面は上下方向に直角な平面に形成されている。なお、カバーフレーム２４ｃの下面は、上下方向視において集光体１４と重畳する部分が平面であればよく、全体が平面でなくてもよい。
【００６５】
このように、第３の実施形態に係るカバーフレーム２４ｃは、第１の実施形態に係るカバーフレーム２４ａと比較すると、貫通孔２４４に代えて凹部２４５が設けられており、第２の取付部２４２が設けられていない。
【００６６】
なお、カバーフレーム２４ｃは、導光体１２の光出射面１２３から集光体１４の上側の焦点Ｆに至る光路となる部分、および、上側の焦点Ｆから集光体１４の上面に至る光路となる部分が透明であればよく、全体が透明でなくてもよい。例えば、カバーフレーム２４ｃは、集光体１４の光軸Ｌ方向視において、少なくとも集光体１４と重畳する部分が透明である構成であればよい。本実施形態では、これらの光路上（集光体１４の光軸Ｌ方向視において、集光体１４と重畳する部分）に凹部２４５が設けられる。このような構成であれば、凹部２４５の底部からカバーフレーム２４ｃの下面にかけての部分が透明であればよく、それ以外の部分は透明でなくてもよい。
【００６７】
第３の透明板部材２３は、カバーフレーム２４ｃの第３の取付部２４３に上側から嵌め込まれるようにして取付けられて固定される。このように、本体カバー２ｃは、カバーフレーム２４ｃと第３の透明板部材２３とを含んで構成される。そして、第３の透明板部材２３の上面が本体カバー２ｃの上面の少なくとも一部となり、カバーフレーム２４ｃの下面が本体カバー２ｃの下面となる。なお、第３の透明板部材２３の固定構造は、第１の実施形態における第１の透明板部材２１ａの固定構造と同じでよい。
【００６８】
本体カバー２ｃが本体フレーム１７に取付けられると、第３の透明板部材２３の上面（本体カバー２ｃの上面）は、イメージセンサユニット１ｃの上側において外部に露出する。カバーフレーム２４ｃの下面（本体カバー２ｃの下面２４６）は、集光体１４の上側に所定の隙間をおいて位置しており、集光体１４の上面に対向する。
【００６９】
（本体カバーと集光体との関係）
次に、本体カバー２ｃと集光体１４との関係について、図６を参照して説明する。図６は、第３の実施形態に係るイメージセンサユニット１ｃを主走査方向に直角な面で切断した断面図であり、第１の実施形態の図３に対応する図である。
【００７０】
図６に示すように、集光体１４の上側の焦点Ｆは、第１の実施形態と同様に、第３の透明板部材２３の上面（本体カバー２ｃの上面）よりも上側に位置する。カバーフレーム２４の下面２４６（本体カバー２ｃの下面）は、集光体１４の上側で、かつ集光体１４の上側の焦点Ｆよりも下側（集光体１４に近い側）に位置しており、集光体１４の上面と所定の距離をおいて対向する。カバーフレーム２４ｃの下面と集光体１４の上面との距離は、例えば０．３ｍｍ以下であることが好ましい。
【００７１】
このような構成であると、カバーフレーム２４ｃの厚さ（特に、第１の取付部２４１の底部とカバーフレーム２４ｃの下面との距離）を変更することによって、第３の透明板部材２３の上面とカバーフレーム２４ｃの下面との距離を設定できる。このため、第３の透明板部材２３に規格に従った厚さのガラス板を適用する場合であっても、ガラス板の厚さの規格に制限されることなく、第３の透明板部材２３の上面とカバーフレーム２４ｃの下面との距離を設定できる。したがって、このような構成であれば、第１の実施形態と同様の効果を奏することができる。
【００７２】
＜紙葉類識別装置＞
次に、イメージセンサユニット１ａ，１ｂ，１ｃが適用された紙葉類識別装置５について、図７を参照して説明する。図７は、紙葉類識別装置５の要部の構成例を模式的に示す図であり、主走査方向に直角な面での断面を示す図である。なお、図７においては、紙葉類識別装置５に第１の実施形態に係るイメージセンサユニット１ａが適用される構成を示すが、第１〜第３の実施形態に係るイメージセンサユニット１ａ，１ｂ，１ｃのいずれも適用できる。
【００７３】
紙葉類識別装置５は、読取対象物Ｐの紙葉類である紙幣などに光を照射するとともに、紙幣からの光を読取り、読取った光を用いて紙幣の種類や真贋の識別を行う。なお、紙葉類識別装置５に適用されるイメージセンサユニット１ａ，１ｂ，１ｃの光源基板１１の発光素子１１１は、可視光と、赤外線と、紫外線とを発することができる。
【００７４】
図７に示すように、紙葉類識別装置５は、２基のイメージセンサユニット１ａ，１ｂ，１ｃと、紙幣を搬送する搬送ローラー５１と、コネクタ１６１に配線接続された識別手段としての画像識別部５２とを有する。また、紙葉類識別装置５には、紙幣を副走査方向に搬送するための搬送経路Ａが設定される。そして、２基のイメージセンサユニット１ａ，１ｂ，１ｃは、紙幣の搬送経路Ａを挟んで対向するように設けられている。なお、集光体１４の上側（紙幣側）の焦点Ｆは、搬送経路Ａの上下方向の中央に設定される。
【００７５】
このような構成の紙葉類識別装置５の動作は、次のとおりである。紙葉類識別装置５に適用された２基のイメージセンサユニット１ａ，１ｂ，１ｃのそれぞれは、前述した動作によって、紙幣に設けられている所定のパターンを可視光画像として読取る。さらに、紙幣の赤外線画像を読取るとともに、紙幣の紫外線画像を読取る。また、一方のイメージセンサユニット１ａ，１ｂ，１ｃの導光体１２の光出射面１２３から紙幣に照射された光は、紙幣を透過して他方のイメージセンサユニット１ａ，１ｂ，１ｃの集光体１４に入射し、他方のイメージセンサユニット１ａ，１ｂ，１ｃのイメージセンサ１５２の受光面に結像する。他方のイメージセンサユニット１ａ，１ｂ，１ｃのイメージセンサ１５２は、受光した透過光を可視光画像と赤外線画像と紫外線画像として読取る。このように、紙葉類識別装置５は、紙幣の両面の反射読取りが可能であるとともに、透過読取りが可能である。
【００７６】
その後、画像識別部５２は、予め用意された真券である紙幣に可視光線、赤外線および紫外線を照射することで得られた真券紙幣画像と、真贋判定時に判定対象となる紙幣の可視光画像、赤外線画像および紫外線画像とを比較することで、紙幣の真贋判定を行う。これは、真券である紙幣には、可視光下と赤外線下と紫外線下で得られる画像がそれぞれ異なるような領域が設けられているためである。なお、説明および図示を省略した部分については、従来の紙葉類識別装置と同じ構成が適用できる。また、画像識別部５２は第１の回路基板１５または第２の回路基板１６に設けられている構成であってもよい。
【００７７】
なお、ここでは、紙葉類識別装置５が２基のイメージセンサユニット１ａ，１ｂ，１ｃを有する構成を例示したが、本発明の紙葉類識別装置５は、２基のイメージセンサユニット１ａ，１ｂ，１ｃを有する構成に限定されない。例えば、２基のうちの一方のイメージセンサユニット１ａ，１ｂ，１ｃに代えて、透過光源を有する構成であってもよい。すなわち、イメージセンサユニット１ａ，１ｂ，１ｃは、１基のイメージセンサユニット１ａ，１ｂ，１ｃと、このイメージセンサユニット１ａ，１ｂ，１ｃに対向して設けられる透過光源を有する構成であってもよい。この場合、透過光源は、イメージセンサユニット１ａ，１ｂ，１ｃの光源（光源基板１１および導光体１２）と同様に、所定の波長域の線状光を紙幣の読取ラインＯに照射できる。このような構成によれば、紙幣の片面の反射読取りが可能であるとともに、紙幣の透過読取りが可能である。さらに、紙葉類識別装置５が１基のイメージセンサユニット１ａ，１ｂ，１ｃを有し、透過光源を有さない構成であってもよい。この場合には、紙葉類識別装置５は、紙幣の片面の反射読取りが可能である。
【００７８】
なお、本実施形態においては、可視光線と赤外線と紫外線とを照射することで紙幣を可視光画像と赤外線画像と紫外線画像として読取る構成を示したが、この構成に限定されない。例えば、可視光と赤外線と紫外線のいずれか１種または２種を照射する構成であっても構わない。また、読取対象物Ｐの紙葉類として紙幣が適用される構成を示したが、紙葉類の種類は限定されるものではない。例えば、各種有価証券やＩＤカードなどについても読取ができる。
【００７９】
＜画像読取装置＞
次に、本発明の実施形態に係る画像読取装置９の構成例について、図８と図９を参照して説明する。ここでは、画像読取装置９として、画像読取部９３と画像形成部９２とを有する複合機を示す。本発明の実施形態に係る画像読取装置９には、本発明の実施形態に係るイメージセンサユニット１ａ，１ｂ，１ｃが適用されている。図８は、本発明の実施形態に係る画像読取装置９の外観斜視図である。図９は、本発明の実施形態に係る画像読取装置９の筺体の内部に設けられている画像形成部９２を抜き出して示した斜視図である。図８と図９に示すように、画像読取装置９は、フラットベッド方式のスキャナとインクジェット方式のプリンタとの複合機（ＭＦＰ；Ｍｕｌｔｉｆｕｎｃｔｉｏｎ  Ｐｒｉｎｔｅｒ）である。画像読取装置９は、画像を読取る画像読取手段としての画像読取部９３と、画像を形成する画像形成手段としての画像形成部９２とを有する。そして、画像読取装置９の画像読取部９３には、イメージセンサユニット１ａ，１ｂ，１ｃが組み込まれる。
【００８０】
図８に示すように、画像読取装置９には、操作部９４が設けられている。操作部９４には、操作メニューや各種メッセージなどを表示する表示部９４１と、画像読取装置９を操作するための各種操作ボタン９４２が設けられている。
【００８１】
画像読取装置９の画像読取部９３は、読取対象物Ｐを載置するプラテンガラス９１１と、プラテンガラス９１１に対して開閉可能なプラテンカバー９１２と、本発明の実施形態に係るイメージセンサユニット１ａ，１ｂ，１ｃと、イメージセンサユニット１ａ，１ｂ，１ｃを駆動する駆動機構とを有する。なお、プラテンガラス９１１およびプラテンカバー９１２と、本発明の実施形態に係るイメージセンサユニット１ａ，１ｂ，１ｃを駆動する駆動機構については、公知の各種構成が適用できる。
【００８２】
図９に示すように、画像読取装置９の筺体９１の内部には、画像形成部９２が設けられている。画像形成部９２は、搬送ローラー９２１と、ガイドシャフト９２２と、インクジェットカートリッジ９２３と、モーター９２６と、一対のタイミングプーリー９２７とを有する。搬送ローラー９２１は、駆動源の駆動力によって回転し、記録媒体としての印刷用紙Ｒを副走査方向に搬送する。ガイドシャフト９２２は棒状の部材であり、その軸線が印刷用紙Ｒの主走査方向に平行となるように画像読取装置９の筺体９１に固定されている。
【００８３】
インクジェットカートリッジ９２３は、ガイドシャフト９２２上をスライドすることによって、印刷用紙Ｒの主走査方向に往復動できる。インクジェットカートリッジ９２３は、例えば、シアンＣ、マゼンタＭ、イエローＹ、黒Ｋのインクを備えたインクタンク９２４（９２４Ｙ，９２４Ｍ，９２４Ｃ，９２４Ｋ）と、これらのインクタンク９２４（９２４Ｙ，９２４Ｍ，９２４Ｃ，９２４Ｋ）にそれぞれ設けられた吐出ヘッド９２５（９２５Ｙ，９２５Ｍ，９２５Ｃ，９２５Ｋ）から構成されている。一対のタイミングプーリー９２７の一方は、モーター９２６の回転軸に取付けられている。そして、一対のタイミングプーリー９２７は、印刷用紙Ｒの主走査方向に互いに離れた位置に設けられている。タイミングベルト９２８は、一対のタイミングプーリー９２７に平行掛けに巻き掛けられ、所定の箇所がインクジェットカートリッジ９２３に連結されている。
【００８４】
画像読取装置９の画像読取部９３は、イメージセンサユニット１ａ，１ｂ，１ｃが読取った画像を、印刷に適した形式の電気信号に変換する。そして、画像読取装置９の画像形成部９２は、画像読取部９３のイメージセンサユニット１ａ，１ｂ，１ｃが変換した電気信号に基づいて、搬送ローラー９２１、モーター９２６、インクジェットカートリッジ９２３を駆動し、印刷用紙Ｒに画像を形成する。このほか、画像読取装置９の画像形成部９２は、外部から入力された電気信号に基づいて画像を形成することができる。なお、画像読取装置９のうち、画像形成部９２の構成および動作は、従来公知の各種プリンタと同じ構成が適用できる。したがって、詳細な説明は省略する。なお、画像形成部９２としてインクジェット方式による画像読取装置９を説明したが、電子写真方式、熱転写方式、ドットインパクト方式などどのような方式であっても構わない。
【００８５】
以上、本発明の実施形態について詳細に説明したが、前述の実施形態は、本発明を実施するにあたっての具体例を示したに過ぎない。本発明の技術的範囲は、前述の実施形態に限定されるものではない。本発明は、その趣旨を逸脱しない範囲において、種々の変更が可能である。
【００８６】
例えば、上記実施形態では、画像読取装置として画像読取部と画像形成部とを有する複合機を示したが、画像読取装置はこのような構成に限定されない。本発明の画像読取装置には、各種複写機やファクシミリやスキャナ（フラットベッドスキャナ、シートフィードスキャナ、ハンディスキャナ）などといった画像読取機能を有する装置も含まれる。
【産業上の利用可能性】
【００８７】
本発明は、光源および導光体を有するイメージセンサユニットと、このイメージセンサユニットが適用された紙葉類識別装置、画像読取装置（例えば、イメージスキャナ、ファクシミリ、複写機、複合機など）に有効に利用できるものである。そして、本発明によれば、カバーの下側の面に付着した異物での反射光に起因する局所的な輝度の上昇を防止または抑制することができる。
【符号の説明】
【００８８】
１ａ，１ｂ，１ｃ：イメージセンサユニット、２ａ，２ｃ：本体カバー、２１ａ，２１ｂ：第１の透明板部材、２２：第２の透明板部材、２２１：第２の透明板部材の下面、２３：第３の透明板部材、２４ａ，２４ｃ：カバーフレーム、２４１：第１の取付部、２４２：第２の取付部、２４３：第３の取付部、２４４：貫通孔、２４５：凹部、２４６：カバーフレームの下面、Ｐ：読取対象物、Ｌ：集光体の光軸、Ｍ：導光体の光軸、Ｆ：集光体の上側の焦点
【図１】
2018026622.tif 000003
【図２】
2018026622.tif 000004
【図３】
2018026622.tif 000005
【図４】
2018026622.tif 000006
【図５】
2018026622.tif 000007
【図６】
2018026622.tif 000008
【図７】
2018026622.tif 000009
【図８】
2018026622.tif 000010
【図９】
2018026622.tif 000011